(57)【要約】【課題】  腹部を保護すると共に姿勢の変化によっても尿道口を塞ぐ虞の少ない動物用腹帯を提供する。【解決手段】  動物用腹帯１３は木綿等のシート体１５よりなり、動物の少なくとも腹部を前脚から後脚の方向に覆うものである。シート体１５の長手方向の一方端部から他方に所定幅のプリーツ部１６が形成されており、その一方端部にはプリーツ部１６を重ねた状態で帯状体２１が連続的に取り付けられている。シート体１５には、プリーツ部１６の第１折り曲げ部１８の外側であって帯状体２１の内方位置を始点とし、プリーツ部１６の内側を終点とする、動物の後脚の一方が挿通自在となるスリット状の第１開口部と、プリーツ部１６の第２折り曲げ部１９の外側であって帯状体２１の内方位置を始点とし、プリーツ部１６の内側を終点とする、動物の後脚の他方が挿通自在となるスリット状の第２開口部２３とが形成されている。【選択図】      図１
2008086541.tif 000002
【特許請求の範囲】
【請求項１】
シート材料よりなり、動物の少なくとも腹部を前脚から後脚への方向を長手方向の一方として覆う動物用腹帯であって、
前記長手方向の一方端部から前記長手方向の他方に延びる所定幅のプリーツ部を含むシート体と、
前記シート体に対して、前記一方端部において前記プリーツ部を重ねた状態で連続的に取り付けられた帯状体とを備え、
前記シート体には、
前記プリーツ部の前記所定幅の一方を構成する第１折り曲げ部の外側であって前記テープ体の内方位置を始点とし、前記プリーツ部の内側を終点とする、前記動物の後脚の一方が挿通自在となる第１開口部と、
前記プリーツ部の前記所定幅の他方を構成する第２折り曲げ部の外側であって前記テープ体の内方位置を始点とし、前記プリーツ部の内側を終点とする、前記動物の後脚の他方が挿通自在となる第２開口部とが形成される、動物用腹帯。
【請求項２】
前記腹帯は犬猫等の腹帯として用いられ、
前記シート体には、更に、
前記長手方向の他方端部から内方の位置において、前記動物の前脚の一方が挿通自在となる第３開口部と、
前記長手方向の他方端部から内方の位置において、前記動物の前脚の他方が挿通自在となる第４開口部とが形成される、請求項１記載の動物用腹帯。
【請求項３】
前記帯状体は、前記第１開口部及び前記第２開口部の各々の始点の位置において弛んだ状態で取り付けられる、請求項１又は請求項２記載の動物用腹帯。
【請求項４】
前記第１開口部は、前記始点から前記プリーツ部の前記第１折り曲げ部に沿って延びる第１部分と、前記第１部分の端部から前記終点に向けて延びる第２部分とからなり、
前記第２開口部は、前記始点から前記プリーツ部の前記第２折り曲げ部に沿って延びる第３部分と、前記第１部分の端部から前記終点に向けて延びる第４部分とからなる、請求項１から請求項３のいずれかに記載の動物用腹帯。
【発明の詳細な説明】
【技術分野】
【０００１】
この発明は動物用腹帯に関し、特に獣医医療において犬猫等の動物の腹部の手術や治療処置後の縫合部、患部等を保護するための動物用腹帯に関するものである。
【背景技術】
【０００２】
図８は特許文献１に示されている「ペット用メディカルウエアー」の概略構成を示す展開図であり、図９はこのウエアーを犬に着用させた場合の外観斜視図である。
【０００３】
図８を参照して、メディカルウェアー６１は木綿等の素材よりなるほぼ矩形シート形状のウェアーシート６３より構成されている。その中央部の上方位置に前脚の挿通用の前脚挿通部６４ａ，前脚挿通部６４ｂが、下方位置に後脚の挿通用の後脚挿通部６５ａ，後脚挿通部６５ｂが各々形成されている。又、後脚挿通部６５ａ，後脚挿通部６５ｂの近辺の下方端部は凹み部６７が形成されており、着用時に動物の尿道口を塞がないように配慮されている。更に、ウェアーシート６３の両外側部分の上下方向に複数の紐通孔６８が形成されている。
【０００４】
使用に際しては、動物等が手術時における麻酔が覚めない状態においてメディカルウェアー６１を着用させる。すなわち、前脚挿通部６４ａ，前脚挿通部６４ｂの各々に犬４１の前脚を通し、後脚挿通部６５ａ，後脚挿通部６５ｂの各々に後脚を通す。この状態でウェアーシート６３の両端部を犬４１の背中側に回して紐通孔６８を利用して紐６９によって結束する。これによって、図９に示すように、麻酔が覚めたときには犬４１の胴部がメディカルウェアー６１によって完全に保護された状態になり、患部を直接舐めたり、引っかいたりすることから犬４１を保護することができる。尚、メディカルウェアー６１は前脚、後脚を利用して装着されるため、外れる虞は少なく、又、犬４１の通常の動きを阻害する虞も無いため、飼い主にとっても安心して手術後の状態を見守ることができる。
【特許文献１】特開平１０−３０９２９１号公報
【発明の開示】
【発明が解決しようとする課題】
【０００５】
図１０は図９で示したメディカルウェアー６１の装着状態を犬４１の腹側から見た概略図である。
【０００６】
図を参照して、メディカルウェアー６１は犬４１の腹全体を覆うように装着されている。そして、メディカルウェアー６１は下方端部の凹み部６７によって尿道口４７が塞がれないように形成されている。
【０００７】
しかしながら、犬４１は手術後は通常に動いたり、その姿勢を色々と変化させる。そのため、図において第１後脚４４や第２後脚４５の位置が下方に移動すると、それに伴い後脚挿通部６５ａ，後脚挿通部６５ｂの下端の位置も下方に移動する。すると、凹み部６７の位置自体も下方に移動することになり、場合によっては尿道口４７を塞いでしまうことになる。そのため凹み部６７回りのメディカルウェアー６１が糞尿等で汚れてしまう虞がある。手術をした場合メディカルウェアー６１が不要になるまではある程度日数がかかることになるが、汚れてしまうと縫合部等の清潔さを維持することができない。その結果、メディカルウェアー６１を取り外すことになると、結局十分な縫合部等の保護を維持することができないことになる。
【０００８】
この発明は上記のような課題を解決するためになされたもので、腹部を保護すると共に姿勢の変化によっても尿道口を塞ぐ虞の少ない動物用腹帯を提供することを目的とする。
【課題を解決するための手段】
【０００９】
上記の目的を達成するために、請求項１記載の発明は、シート材料よりなり、動物の少なくとも腹部を前脚から後脚への方向を長手方向の一方として覆う動物用腹帯であって、  長手方向の一方端部から長手方向の他方に延びる所定幅のプリーツ部を含むシート体と、  シート体に対して、一方端部においてプリーツ部を重ねた状態で連続的に取り付けられた帯状体とを備え、シート体には、プリーツ部の所定幅の一方を構成する第１折り曲げ部の外側であって帯状体の内方位置を始点とし、プリーツ部の内側を終点とする、動物の後脚の一方が挿通自在となる第１開口部と、プリーツ部の所定幅の他方を構成する第２折り曲げ部の外側であって帯状体の内方位置を始点とし、プリーツ部の内側を終点とする、動物の後脚の他方が挿通自在となる第２開口部とが形成されるものである。
【００１０】
このように構成すると、動物の後脚を入れると、第１開口部及び第２開口部の始点と終点とが長手方向に位置するように変形するため、一方端部におけるプリーツ部の部分が引っ張られ長手方向の他方に移動する。
【００１１】
請求項２記載の発明は、請求項１記載の発明の構成において、腹帯は犬猫等の腹帯として用いられ、シート体には、更に、長手方向の他方端部から内方の位置において、動物の前脚の一方が挿通自在となる第３開口部と、長手方向の他方端部から内方の位置において、動物の前脚の他方が挿通自在となる第４開口部とが形成されるものである。
【００１２】
このように構成すると、動物の前脚を入れると、腹帯全体が後脚側に移動する虞がない。
【００１３】
請求項３記載の発明は、請求項１又は請求項２記載の発明の構成において、帯状体は、第１開口部及び前記第２開口部の各々の始点の位置において弛んだ状態で取り付けられるものである。
【００１４】
このように構成すると、使用前にあっては、後脚の後方位置に対してプリーツ部の一方端部が前脚側に位置する。
【００１５】
請求項４記載の発明は、請求項１から請求項３のいずれかに記載の発明の構成において、第１開口部は、始点からプリーツ部の第１折り曲げ部に沿って延びる第１部分と、第１部分の端部から終点に向けて延びる第２部分とからなり、第２開口部は、始点からプリーツ部の第２折り曲げ部に沿って延びる第３部分と、第１部分の端部から終点に向けて延びる第４部分とからなるものである。
【００１６】
このように構成すると、プリーツ部の変形が大きくなる。
【発明の効果】
【００１７】
以上説明したように、請求項１記載の発明は、動物の後脚を入れると、一方端部におけるプリーツ部の部分が引っ張られ長手方向の他方に移動するので、動物の尿道口を避けるように変形するため、使い勝手が良い。
【００１８】
請求項２記載の発明は、請求項１記載の発明の効果に加えて、動物の前脚を入れると、腹帯全体が後脚側に移動する虞がないので、動物への取り付け状態が安定する。
【００１９】
請求項３記載の発明は、請求項１又は請求項２記載の発明の効果に加えて、使用前にあっては、後脚の後方位置に対してプリーツ部の一方端部が前脚側に位置するため、使用時には、尿道口をより大きく避けるように装着できる。
【００２０】
請求項４記載の発明は、請求項１から請求項３のいずれかに記載の発明の効果に加えて、プリーツ部の変形が大きくなるため、効率的な第１開口部及び第２開口部の形状となる。
【発明を実施するための最良の形態】
【００２１】
図１はこの発明の第１の実施の形態による動物用腹帯の外観形状を示した展開図である。
【００２２】
図を参照して、動物用腹帯１３は木綿等の素材よりなるほぼ矩形シート形状のシート体１５より構成されており、動物の少なくとも腹部を前脚から後脚への方向（図においては左から右方向）を長手方向の一方として覆うものである。シート体１５には長手方向の一方から長手方向の他方に延びる所定幅のプリーツ部１６が形成されている。シート体１５の長手方向の一方端部（後脚側）においてプリーツ部１６を重ねた状態で連続的に帯状体２１が縫製されて取り付けられている。これによってプリーツ部１６の後脚側の端部は一体となって動物に装着される。尚、シート体の一方端部であって第１開口部２２及び第２開口部２３の両外側の部分は長手方向の他方に向けて傾斜するように形成されている。そして、これに沿って帯状体２１が取り付けられているが、これは動物用腹帯１３を動物に装着した際にその後脚根元にその部分を沿うようにして、外されにくくするためである。この点も図８で示した従来の腹帯とは異なるように構成されている。
【００２３】
一方、シート体１５の長手方向の他方端部（前脚側）は首周りに装着されるため、シート体１５に沿って帯状体２４が取り付けられ、その両端部は首固定紐２９ａ，首固定紐２９ｂとして用いられる。シート体１５の長手方向に平行な上下端部には、図示しない開口を利用して各々複数の胴固定紐２８ａ，胴固定紐２８ｂが取り付けられている。
【００２４】
プリーツ部１６の所定幅の一方を構成する第１折り曲げ部１８の外側であって、帯状体２１の内側からプリーツ部１６の内側にかけて屈曲したスリット状の第１開口部２２が形成されている。同様にプリーツ部１６の所定幅の他方を構成する第２折り曲げ部１９の外側であって、帯状体２１の内側からプリーツ部１６の内側にかけて屈曲したスリット状の第２開口部２３が形成されている。
【００２５】
これらの第１開口部２２及び第２開口部２３は、動物の後脚の一方及び他方を装着時に挿通させるために形成されたものである。尚、第１開口部２２に対応する帯状体２１の部分及び第２開口部２３に対応する帯状体２１の部分は、それぞれ第１弛み部３１及び第２弛み部３２としてシート体１５の端部で形成されるラインに対して所定の緩みを持たせた状態でシート体１５に取り付けられている。この作用については後述する。
【００２６】
一方、シート体１５の長手方向の他方側にはプリーツ部１６に沿って第３開口部２５及び第４開口部２６が形成されている。これらの第３開口部２５及び第４開口部２６は、動物の前脚の一方及び他方を装着時に挿通させるために形成されたものである。
【００２７】
図２は図１の動物用腹帯を犬に実際に装着した状態を示した外観斜視図である。
【００２８】
図を参照して、動物用腹帯１３は装着時には犬４１の第１前脚４２及び第２前脚４３の各々を第３開口部２５及び第４開口部２６に挿通させ、第１後脚４４及び第２後脚４５の各々を第１開口部２２及び第２開口部２３に挿通させる。そして、胴固定紐２８の各々を用いてこれらを胴上部で締結させると共に、首固定紐２９を用いてこれらを首回りに締結させる。これによって安定した状態で動物用腹帯を装着させることができ、犬４１の腹部の縫合部等を完全に覆うことが可能となる。この実施の形態による動物用腹帯にあっては、従来の動物用腹帯に比べて犬４１の尿道口等を塞ぐ虞は少なく、常に清潔な状態で腹部を覆うことができるが、この作用・効果について以下説明する。
【００２９】
図３は図１で示した動物用腹帯の作用を説明するための概略図である。
【００３０】
図を参照して、その（１）にあっては、図１で示した動物用腹帯１３における第１開口部２２及び第２開口部２３の周りを拡大したものである。尚、図においてプリーツ部１６の端部の構成を明確にするために帯状体２１については２点鎖線で示している。プリーツ部１６は所定幅Ｗの範囲で折り重ねられ、上層部３４と中層部３５と下層部３６とのシート体から構成されている。上層部３４と中層部３５とで第１折り曲げ部１８が形成され、中層部３５と下層部３６とで第２折り曲げ部１９が形成されている。第１開口部２２は下層部３６に連続するシート体１５の部分に形成され、第２開口部２３は上層部３４に連続するシート体１５の部分に形成されている。プリーツ部１６の端部は上述のように重ねられた状態で帯状体２１によって縫製されているため、端部は常に一体的に変形等することになる。
【００３１】
第１開口部２２は、プリーツ部１６の第１折り曲げ部１８の平面視における外側であって帯状体２１の内方位置を始点Ａ１としてプリーツ部１６の内側を終点Ｂ１とするように形成されている。より具体的には、第１開口部２２は始点Ａ１からプリーツ部１６の第１折り曲げ部１８に沿って延びる第１部分５３と、第１部分５３の内方端部から終点Ｂ１に向けて延びる第２部分５４から構成されている。そして、第１開口部２２は、動物の後脚の一方を挿通した場合、その周囲に緩み無く追随できる大きさに設定されている。
【００３２】
一方、第２開口部２３は、プリーツ部１６の第２折り曲げ部１９の平面視における外側であって帯状体２１の内方位置を始点Ａ２としてプリーツ部１６の内側を終点Ｂ２とするように形成されている。より具体的には、第２開口部２３は始点Ａ２からプリーツ部１６の第２折り曲げ部１９に沿って延びる第３部分５５と、第３部分５５の内方端部から終点Ｂ２に向けて延びる第４部分５６から構成されている。そして、第２開口部２３は、第１開口部２２と同様に動物の後脚の他方を挿通した場合、その周囲に緩み無く追随できる大きさに設定されている。
【００３３】
尚、帯状体２１の第１弛み部３１は、始点Ａ１周りの第１部分５３に対して最短距離で掛け渡さず第１開口部２２が後方側（図においては下方側）に広がるように緩ませた状態で縫製されている。従って、後脚の装着時には第１開口部２２があたかも後方側に広がった状態になる。同様に第２弛み部３２も緩ませた状態で縫製されており、第２開口部２３も後脚の装着時にはあたかも後方側に広がった状態になる。
【００３４】
図３の（２）は、図３の（１）の状態から第１開口部２２及び第２開口部２３に動物の第１後脚４４及び第２後脚４５を挿通させてシート体１５を動物の胴部に装着した状態を示している。
【００３５】
第１後脚４４が第１開口部２２に挿通されると、上述のように第１開口部２２は第１弛み部３１と共に第１後脚４４の装着断面に応じてその周囲に沿うように変形する。すなわち、第１開口部２２及び第１弛み部３１の緩んだスペースが広がり、第１開口部２２の終点Ｂ１の位置が始点Ａ１の前方方向に対応した位置に移動する。第１開口部２２はプリーツ部１６の下層部３６の部分に形成されているが、その中央位置Ｄと終点Ｂ１との距離が一定であるため、終点Ｂ１の移動と共に中央部分が前脚側（図にあっては上方側）に引っ張られることになる。一方、下層部３６の第１折り曲げ部１８側及び第２折り曲げ部１９側の部分は第１弛み部３１及び第２弛み部３２によって拘束されているので、結果として図のように下層部３６の端部はその中央位置Ｄが上方側に移動するように凹んだ状態に変形する。
【００３６】
同様に、第２開口部２３はプリーツ部１６の上層部３４の部分に形成されているため、第２後脚４５の挿通に伴い終点Ｂ２の位置も始点Ａ２の前方方向に対応した位置に移動する。結果として図のように上層部３４もその中央位置Ｃが上方側に移動するように変形する。これに伴い、プリーツ部１６の中層部３５の端部も帯状体２１によって上層部３４及び下層部３６に一体化されているためこれらと同様に変形する。
【００３７】
このようにして、プリーツ部１６の第１後脚４４及び第２後脚４５の間の部分は、その上層部３４及び下層部３６がドレープ状に変形すると共に互いにクロスするように引っ張られ、プリーツ部１６の端部の中央部が上方に凹むように変形する。このような変形が可能なのは、プリーツ１６の部分が複数層のシート体によって構成されているからである。すなわち、上層部３４と下層部３６の端部は帯状体２１によって拘束されているが、内部の部分は互いに独立して変形が可能となっているため、これらが第１開口部２２と第２開口部２３の変形に応じて変化するからである。その結果、プリーツ１６の部分がクロス状に自在に変化するため、シート体１５自体が伸縮性が低い材料で構成されていても動物の姿勢の変化に沿いやすく、その動きを制限する虞が少なくなる。
【００３８】
図４は図１で示した動物用腹帯１３の装着状態を犬４１の腹側から見た概略図である。
【００３９】
図を参照して、動物用腹帯１３は犬４１の腹全体を覆うように装着されている。上述のように第１開口部２２及び第２開口部２３に犬４１の第１後脚４４及び第２後脚４５を挿通させると、帯状体２１の中央位置Ｃが上方に引っ張られ、尿道口４７を十分露出させる位置に移動するように動物用腹帯１３は変形する。犬４１の姿勢が変わり、第１後脚４４や第２後脚４５が移動した場合でも常に中央位置Ｃは上方にあるため、糞尿等で動物用腹帯１３が汚れる虞が無く、常に清潔な状態が保たれる。
【００４０】
図５はこの発明の第２の実施の形態による動物用腹帯の一部分を示した図であり、先の実施の形態による図３の（１）に対応する図である。
【００４１】
図を参照して、基本的な構成は先の実施の形態によるものと同一なので、ここではその相違点を中心に説明する。この実施の形態にあっては、第１開口部２２及び第２開口部２３の開口形状が異なっている。すなわち、第１開口部２２は始点Ａ１及び終点Ｂ１の位置は同様であるが、第１開口部２２の内方位置が第１折り曲げ部１８及び第２折り曲げ部１９によって規定されるプリーツ部１６の中に位置している。同様に第２開口部２３は始点Ａ２及び終点Ｂ２の位置は同様であるが、第２開口部２３の内方位置が第１折り曲げ部１８及び第２折り曲げ部１９によって規定されるプリーツ部１６の中に位置している。
【００４２】
このような第１開口部２２及び第２開口部２３の形状であっても、動物が装着すると終点Ｂ１及び終点Ｂ２の位置が先の実施の形態と同様に始点Ａ１及び始点Ａ２の前方延長線上近くに移動するので、同様の効果を奏する。
【００４３】
図６はこの発明の第３の実施の形態による動物用腹帯の一部分を示した図であり、先の第１の実施の形態による図３の（１）に対応する図である。
【００４４】
図を参照して、基本的な構成は先の第１の実施の形態によるものと同一なので、ここではその相違点を中心に説明する。この実施の形態にあっては、プリーツ部１６の形状が異なっている。すなわち、第１の実施の形態ではプリーツ部は二折りのものでその幅Ｗを規定する様に構成されていたが、この実施の形態にあっては各々が二折りのもので構成される、第１プリーツ４９、第２プリーツ５０及び第３プリーツ５１の３つのプリーツでプリーツ部１６が構成されている。
【００４５】
このようにプリーツ部１６が形成されていても、動物が装着すると終点Ｂ１及び終点Ｂ２の位置が第１の実施の形態と同様に始点Ａ１及び始点Ａ２の前方延長線上に移動するので、同様の効果を奏する。尚、この実施の形態にあってはプリーツ部１６が複数のプリーツによって構成されているため、プリーツ部１６の変形がより自然となり、又、プリーツ部１６の部分の変形量を大きくすることが容易にできるため用途に応じた使い勝手が向上する。
【００４６】
図７はこの発明の第４の実施の形態による動物用腹帯の一部分を示した図であり、先の第１の実施の形態による図３の（１）に対応する図である。
【００４７】
図を参照して、基本的な構成は先の第１の実施の形態によるものと同一なので、ここではその相違点を中心に説明する。この実施の形態にあっては、プリーツ部１６の形状が異なっている。第１の実施の形態ではプリーツ部は二折りのものでその幅Ｗを規定する様に構成されていたが、この実施の形態にあってはプリーツ部１６が箱襞形状となっている。すなわち、上層部３４の幅方向の両側で折り返されて中層部３５ａ，中層部３５ｂとなり、更に中層部３５ａ，中層部３５ｂは内方側で折り返されて下層部３６ａ，下層部３６ｂとなってプリーツ部１６を構成している。
【００４８】
このようにプリーツ部１６が形成されていても、動物が装着すると終点Ｂ１及び終点Ｂ２の位置が第１の実施の形態と同様に始点Ａ１及び始点Ａ２の後方延長線上に移動するので、同様の効果を奏する。尚、この実施の形態にあってはプリーツ部１６が左右対称に形成されているため、装着時のプリーツ部１６の変形がより安定する。
【００４９】
尚、上記の各実施の形態では、プリーツ部の重ね枚数を最低限としているが、より多くの重ね枚数によるプリーツ部であっても同様の効果を奏する。
【００５０】
又、上記の各実施の形態では、第１開口部及び第２開口部の形状を特定しているが、形状はこれらに限らず開口の始点と終点とが同様の位置にあれば同様の効果を奏する。
【００５１】
更に、上記の各実施の形態では、帯状体に弛み部を形成しているが弛み分は無くても良い。この場合、シート体の端部を一体的に縫製してこれを帯状体として使用することもできる。
【００５２】
更に、上記の各実施の形態では、シート体の素材として木綿等を用いているが、伸縮性の素材や不織布等の他の素材を用いても良い。
【００５３】
更に、上記の各実施の形態では、犬等の４脚の動物を対象としているが、人間にも適用できると共に、鳥等の２脚の動物に対しても同様に適用できる。２脚の動物に対しては前脚用の開口部は不要となり、首周りと後足とを利用して腹帯を胴回りに装着すれば良い。
【図面の簡単な説明】
【００５４】
【図１】この発明の第１の実施の形態による動物用腹帯の外観形状を示した展開図である。
【図２】図１の動物用腹帯を犬に実際に装着した状態を示した外観斜視図である。
【図３】図１で示した動物用腹帯の作用を説明するための概略図である。
【図４】図１で示した動物用腹帯の装着状態を犬の腹側から見た概略図である。
【図５】この発明の第２の実施の形態による動物用腹帯の一部分を示した図であり、先の実施の形態による図３の（１）に対応する図である。
【図６】この発明の第３の実施の形態による動物用腹帯の一部分を示した図であり、先の第１の実施の形態による図３の（１）に対応する図である。
【図７】この発明の第４の実施の形態による動物用腹帯の一部分を示した図であり、先の第１の実施の形態による図３の（１）に対応する図である。
【図８】従来のペット用メディカルウエアーの概略構成を示す展開図である。
【図９】図８で示したウエアーを犬に着用させた場合の外観斜視図である。
【図１０】図９で示したメディカルウェアーの装着状態を犬の腹側から見た概略図である。
【符号の説明】
【００５５】
１３・・・動物用腹帯
１５・・・シート体
１６・・・プリーツ部
１８・・・第１折り曲げ部
１９・・・第２折り曲げ部
２１・・・帯状体
２２・・・第１開口部
２３・・・第２開口部
２５・・・第３開口部
２６・・・第４開口部
３１・・・第１弛み部
３２・・・第２弛み部
尚、各図中同一符号は同一又は相当部分を示す。
【図１】
2008086541.tif 000003
【図２】
2008086541.tif 000004
【図３】
2008086541.tif 000005
【図４】
2008086541.tif 000006
【図５】
2008086541.tif 000007
【図６】
2008086541.tif 000008
【図７】
2008086541.tif 000009
【図８】
2008086541.tif 000010
【図９】
2008086541.tif 000011
【図１０】
2008086541.tif 000012